(57)【要約】【課題】  分配機能や合成機能を内蔵して共同受信用としても、また一般家庭での受信用としても対応できる地上／ＢＳ一体型テレビジョンチューナを提供する【解決手段】  共同受信用の第１の入力端子２１と、ＢＳ−ＩＦ信号を入力する第２の入力端子２２と、地上波テレビ受信用チューナ回路２５と、ＢＳ−ＩＦ受信用チューナ回路２８とを備え、第１の入力端子２１と地上波テレビ受信用チューナ回路２５との間に地上波テレビ信号の最高周波数以下を通過するローパスフィルタ２３を介挿すると共に、第１の入力端子２１とＢＳ−ＩＦ受信用チューナ回路２８との間にＢＳ−ＩＦ信号の最低周波数以上を通過するハイパスフィルタ２６を介挿し、第２の入力端子２２をＢＳ−ＩＦ受信用チューナ回路２８に結合した。【選択図】        図１
2006304016.tif 000002
【特許請求の範囲】
【請求項１】
共同受信用の第１の入力端子と、ＢＳ−ＩＦ信号を入力する第２の入力端子と、地上波テレビ受信用チューナ回路と、ＢＳ−ＩＦ受信用チューナ回路とを備え、前記第１の入力端子と前記地上波テレビ受信用チューナ回路との間に地上波テレビ信号の最高周波数以下を通過するローパスフィルタを介挿すると共に、前記第１の入力端子と前記ＢＳ−ＩＦ受信用チューナ回路との間に前記ＢＳ−ＩＦ信号の最低周波数以上を通過するハイパスフィルタを介挿し、前記第２の入力端子を前記ＢＳ−ＩＦ受信用チューナ回路に結合したことを特徴とする地上／ＢＳ一体型テレビジョンチューナ。
【請求項２】
屋外に設置されたＢＳコンバータに電源を供給するための電源回路を設け、前記電源回路から前記第２の入力端子にＤＣ電圧を重畳したことを特徴とする請求項１に記載の地上／ＢＳ一体型テレビジョンチューナ。
【請求項３】
前記第１の入力端にその入力端が接続された分配器を設け、前記分配器の一方の出力端を前記ローパスフィルタの入力端に接続すると共に、他方の入力端を前記ハイパスフィルタの入力端に接続し、前記ＢＳ−ＩＦ受信用チューナ回路にその出力端が接続された合成器を設け、前記合波器の一方の入力端に前記ハイパスフィルタの出力端を接続すると共に、他方の入力端を前記第２の入力端子に結合したことを特徴とする請求項１又は２に記載の地上／ＢＳ一体型テレビジョンチューナ。
【請求項４】
前記分配器の他方の出力端と前記ハイパスフィルタの入力端との間に第１のスイッチ手段を介挿し、前記第２の入力端子と前記合成器の他方の入力端との間に第２のスイッチ手段を介挿し、前記第１のスイッチ手段と前記第２のスイッチ手段との開閉を互いに逆としたことを特徴とする請求項３に記載の地上／ＢＳ一体型テレビジョンチューナ。
【請求項５】
前記分配器の前段に第１の広帯域増幅器を設け、前記第２のスイッチ手段の前段に第２の広帯域増幅器を設けたことを特徴とする請求項４に記載の地上／ＢＳ一体型テレビジョンチューナ。
【発明の詳細な説明】
【技術分野】
【０００１】
本発明は、地上波テレビ信号と、ＢＳコンバータから出力されるＢＳ−ＩＦ信号とを共同受信又は個別受信の何れにも使用できる地上／ＢＳ一体型テレビジョンチューナに関する。
【背景技術】
【０００２】
図３を参照して、衛星テレビ放送と地上波テレビ放送とを受信するシステムを説明する。図３において、１はＢＳアンテナ、２はＵＨＦアンテナ、３はＶＨＦアンテナ、４はＢＳコンバータ、５はＵＨＦ／ＶＨＦ混合器、６はＢＳチューナ、７はＵＨＦ／ＶＨＦ分波器、８はテレビ受信機、９及び１０は同軸ケーブルである。
【０００３】
また、図４は他の構成を示し、１１は分配器、１２はＢＳ／ＵＨＦ、ＶＨＦ混合器、１３はＢＳ−ＩＦラインブースタで、該ブースタ１３及びＢＳコンバータ４にはＢＳチューナ６から同軸ケーブル１４を介して１５Ｖ乃至１８Ｖの直流電圧が供給されるようになっている（例えば、特許文献１参照。）。
【０００４】
【特許文献１】実用新案登録公報第２５５２２３０号公報（図６、図７）
【発明の開示】
【発明が解決しようとする課題】
【０００５】
従来の構成では、ＢＳチューナとＵＨＦチューナとＶＨＦチューナとがそれぞれ独立していたので、一般家庭のように地上波及び衛星波がそれぞれ別のケーブルで送られてくる場合は図３のシステムで受信し、共同受信用として全ての放送波が１本のケーブルで送られて来る場合は図４のシステムで受信することとなり、信号の分配と合成のために独立した機器が必要であった。
【０００６】
本発明は、分配機能や合成機能を内蔵して共同受信用としても、また一般家庭での受信用としても対応できる地上／ＢＳ一体型テレビジョンチューナを提供することを目的とする。
【課題を解決するための手段】
【０００７】
そのための第１の解決手段として、共同受信用の第１の入力端子と、ＢＳ−ＩＦ信号を入力する第２の入力端子と、地上波テレビ受信用チューナ回路と、ＢＳ−ＩＦ受信用チューナ回路とを備え、前記第１の入力端子と前記地上波テレビ受信用チューナ回路との間に地上波テレビ信号の最高周波数以下を通過するローパスフィルタを介挿すると共に、前記第１の入力端子と前記ＢＳ−ＩＦ受信用チューナ回路との間に前記ＢＳ−ＩＦ信号の最低周波数以上を通過するハイパスフィルタを介挿し、前記第２の入力端子を前記ＢＳ−ＩＦ受信用チューナ回路に結合した。
【０００８】
また、第２の解決手段として、屋外に設置されたＢＳコンバータに電源を供給するための電源回路を設け、前記電源回路から前記第２の入力端子にＤＣ電圧を重畳した。
【０００９】
また、第３の解決手段として、前記第１の入力端にその入力端が接続された分配器を設け、前記分配器の一方の出力端を前記ローパスフィルタの入力端に接続すると共に、他方の入力端を前記ハイパスフィルタの入力端に接続し、前記ＢＳ−ＩＦ受信用チューナ回路にその出力端が接続された合成器を設け、前記合波器の一方の入力端に前記ハイパスフィルタの出力端を接続すると共に、他方の入力端を前記第２の入力端子に結合した。
【００１０】
また、第４の解決手段として、前記分配器の他方の出力端と前記ハイパスフィルタの入力端との間に第１のスイッチ手段を介挿し、前記第２の入力端子と前記合成器の他方の入力端との間に第２のスイッチ手段を介挿し、前記第１のスイッチ手段と前記第２のスイッチ手段との開閉を互いに逆とした。
【００１１】
また、第５の解決手段として、前記分配器の前段に第１の広帯域増幅器を設け、前記第２のスイッチ手段の前段に第２の広帯域増幅器を設けた。
【発明の効果】
【００１２】
第１の解決手段によれば、共同受信用の第１の入力端子と、ＢＳ−ＩＦ信号を入力する第２の入力端子と、地上波テレビ受信用チューナ回路と、ＢＳ−ＩＦ受信用チューナ回路とを備え、第１の入力端子と地上波テレビ受信用チューナ回路との間に地上波テレビ信号の最高周波数以下を通過するローパスフィルタを介挿すると共に、第１の入力端子とＢＳ−ＩＦ受信用チューナ回路との間にＢＳ−ＩＦ信号の最低周波数以上を通過するハイパスフィルタを介挿し、第２の入力端子をＢＳ−ＩＦ受信用チューナ回路に結合したので、共同受信用及び一般家庭での受信用のいずれにも対応できるチューナが構成できる。
【００１３】
また、第２の解決手段によれば、屋外に設置されたＢＳコンバータに電源を供給するための電源回路を設け、電源回路から第２の入力端子にＤＣ電圧を重畳したので、一般家庭での受信の際にＢＳコンバータに電源を供給できる。
【００１４】
また、第３の解決手段によれば、第１の入力端にその入力端が接続された分配器を設け、分配器の一方の出力端をローパスフィルタの入力端に接続すると共に、他方の入力端を前記ハイパスフィルタの入力端に接続し、ＢＳ−ＩＦ受信用チューナ回路にその出力端が接続された合成器を設け、合波器の一方の入力端にハイパスフィルタの出力端を接続すると共に、他方の入力端を第２の入力端子に結合したので、共同受信用及び一般家庭での受信用のいずれにも対応できるチューナが構成できる。
【００１５】
また、第４の解決手段によれば、分配器の他方の出力端とハイパスフィルタの入力端との間に第１のスイッチ手段を介挿し、第２の入力端子と合成器の他方の入力端との間に第２のスイッチ手段を介挿し、第１のスイッチ手段と第２のスイッチ手段との開閉を互いに逆としたので、ＢＳ−ＩＦ受信用チューナ回路には共同受信用のテレビ信号及びＢＳ−ＩＦ信号の両方が入力されることがない。
【００１６】
また、第５の解決手段によれば、分配器の前段に第１の広帯域増幅器を設け、第２のスイッチ手段の前段に第２の広帯域増幅器を設けたので、分配器や合成器の挿入損失によるレベル低下やＮＦの悪化が抑えられる。
【発明を実施するための最良の形態】
【００１７】
本発明の第１実施形態を図１に従って説明する。第１の端子２１は、ＢＳ−ＩＦ信号と地上波のＵＨＦテレビ信号及びＶＨＦテレビ信号とが重畳された共同受信用テレビ信号が図示しないケーブルを介して入力される端子であり、また、第２の入力端子２２は、屋外に設置されたＢＳコンバータ（ＬＮＢともいう（図示せず））によってほぼ１ＧＨｚ〜２ＧＨｚに変換されたＢＳ−ＩＦ信号が図示しないケーブルを介して入力される端子である。
【００１８】
第１の入力端子２１には、縦続接続されたローパスフィルタ２３、第１の広帯域増幅器２４を介して地上波テレビ受信用チューナ回路２５が接続される。ローパスフィルタ２３は、ＵＨＦ帯テレビ信号の最高周波数以下を伝送し、第１の広帯域増幅器２４はＶＨＦ帯乃至ＵＨＦ帯のテレビ信号を増幅する。
【００１９】
また、第１の入力端子２１には、縦続接続されたハイパスフィルタ２６、第２の広帯域増幅器２７を介してＢＳ−ＩＦ受信用チューナ回路２８が接続される。ハイパスフィルタ２６はＢＳ−ＩＦ信号を通過し、第２の広帯域増幅器２７はＢＳ−ＩＦ信号を増幅する。
【００２０】
さらに、第２の入力端子２２は、第２の広帯域増幅器２７の入力端に結合され、第２の入力端子２２には電源回路３４からインダクタ２９を介して直流電圧が重畳される。この直流電圧はＢＳコンバータに供給するためのものである。
なお、地上波テレビ受信用チューナ回路２５及びＢＳ−ＩＦ受信用チューナ回路２８にはそれぞれ受信すべきチャンネルを選択するための選局機能が備えられている。
【００２１】
以上の構成によれば、例えば、共同受信のための設備が整っているアパート等においては、共同受信用ケーブルが各部屋に引き込まれているので、このケーブルを第１の入力端子２１に接続することによって、ＢＳ−ＩＦ信号、又は／及び地上波のＵＨＦテレビ信号及びＶＨＦテレビ信号の受信が可能となる。また、一般家庭のように、ＢＳ−ＩＦ信号と地上波のＵＨＦテレビ信号及びＶＨＦテレビ信号とが別々のケーブルで引き込まれていれば、地上波のＵＨＦテレビ信号及びＶＨＦテレビ信号が重畳されたケーブルを第１の入力端子２１に接続し、ＢＳ−ＩＦ信号のケーブルを第２の入力端子２２に接続することで、地上波のＵＨＦテレビ信号及びＶＨＦテレビ信号とＢＳ−ＩＦ信号とを受信できる。
【００２２】
図２は第２の実施形態を示す。図２においては、第１の入力端子２１に、第１の広帯域増幅器２４を介して分配器３０の入力端が接続される。そして、分配器３０の一方の出力端にローパスフィルタ２３が接続される。ここでの第１の広帯域増幅器２４はＶＨＦ帯のテレビ信号の最低周波数からＢＳ−ＩＦ信号の最高周波数までを増幅する。
【００２３】
分配器３０の他方の出力端は第１のスイッチ手段３１を介してハイパスフィルタ２６に接続され、ハイパスフィルタ２６の出力端は合成器３２の一方の入力端に接続される。合成器３２の出力端にはＢＳ−ＩＦ受信用チューナ回路２８が接続される。また、第２の入力端子２２には第２の広帯域増幅器２７が結合され、その出力端と合成器３２の他方の入力端との間には第２のスイッチ手段３３が接続される。
【００２４】
ここで、第１のスイッチ手段３１と第２のスイッチ手段３３とは開閉動作が互いに逆となり、第１の入力端子２１にＢＳ−ＩＦ信号と地上波のＵＨＦテレビ信号及びＶＨＦテレビ信号とを入力するときには第１のスイッチ手段３１を閉じ、第２のスイッチ手段３３を開く。また、第２の入力端子２２にＢＳ−ＩＦ信号を入力するときには、第１のスイッチ手段３１を開き、第２のスイッチ手段３３を閉じる。この実施形態においても、共同受信用と一般家庭での受信用とに共用できる。なお、分配器３０の前段に第１の広帯域増幅器２４を設け、合成器３２の前段に第２の広帯域増幅器２７を設けることでＮＦの悪化を防止している。
【図面の簡単な説明】
【００２５】
【図１】本発明の地上／ＢＳ一体型テレビジョンチューナにおける第１の実施形態の構成を示す回路図である。
【図２】本発明の地上／ＢＳ一体型テレビジョンチューナにおける第２の実施形態の構成を示す回路図である。
【図３】従来の衛星テレビ放送と地上波テレビ放送とを受信するシステムの構成図である。
【図４】従来の衛星テレビ放送と地上波テレビ放送とを受信するシステムの他の構成図である。
【符号の説明】
【００２６】
２１：第１の入力端子
２２：第２の入力端子
２３：ローパスフィルタ
２４：第１の広帯域増幅器
２５：地上波テレビ受信用チューナ回路
２６：ハイパスフィルタ
２７：第２の広帯域増幅器
２８：ＢＳ−ＩＦ受信用チューナ回路
２９：インダクタ
３０：分配器
３１：第１のスイッチ手段
３２：合成器
３３：第２のスイッチ手段
３４：電源回路
【図１】
2006304016.tif 000003
【図２】
2006304016.tif 000004
【図３】
2006304016.tif 000005
【図４】
2006304016.tif 000006